(57)【要約】【課題】初期復号化に基づいて送信エネルギーを低減する方法を提供すること。【解決手段】この方法は、符号化メッセージを示す複数のシンボルを含むブロックの第１の部分へのアクセスを含む。第１の部分は、第１の送信電力で送信され、複数のシンボル全てよりも少ないシンボルを有する。この方法は、ブロックの第１の部分を使用して符号化メッセージの復号化を試みること、符号化メッセージが復号化されたかどうかを判断すること、および符号化メッセージが復号化されたことの決定に応答して第２の送信電力の表示を提供することも含む。【選択図】図１
2006191582.tif 000002
【特許請求の範囲】
【請求項１】
符号化メッセージを示す複数のシンボルを含み、第１の部分が第１の送信電力で送信され、前記複数のシンボル全てよりも少ないシンボルを有する、ブロックの第１の部分にアクセスすること、
前記ブロックの前記第１の部分を使用して前記符号化メッセージの復号化を試みること、
前記符号化メッセージが復号化されたかどうかを判断すること、および
前記符号化メッセージが復号化されたことの決定に応答して第２の送信電力の表示を提供することを含む方法。
【請求項２】
前記第２の送信電力の表示を提供することが、前記第１の送信電力に対する前記第２の送信電力の所望の増加または減少を示す少なくとも１つのビットを提供することを含む、請求項１に記載の方法。
【請求項３】
前記第２の送信電力の表示を提供することが、電源オフ・メッセージを提供することを含む、請求項１に記載の方法。
【請求項４】
ブロックの少なくとも１つの第２の部分にアクセスすることをさらに含み、前記ブロックの各第２の部分が前記複数のシンボル全てよりも少ないシンボルを含む、請求項１に記載の方法。
【請求項５】
前記ブロックの前記第１の部分および前記ブロックの前記少なくとも１つの第２の部分を使用して前記符号化メッセージの復号化を試みること、
前記ブロックの前記第１の部分および前記ブロックの前記少なくとも１つの第２の部分を使用して前記符号化メッセージが復号化されたかどうかを判断すること、
前記ブロックの前記第１の部分および前記ブロックの前記少なくとも１つの第２の部分を使用して前記符号化メッセージが復号化されたことの決定に応答して第２の送信電力の表示を提供することをさらに含む、請求項４に記載の方法。
【請求項６】
符号化メッセージを示す複数のシンボルを含み、第１の部分が第１の送信電力で送信され、前記複数のシンボル全てよりも少ないシンボルを有する、ブロックの第１の部分を提供すること、
前記ブロックの前記第１の部分の提供に応答して第２の送信電力の表示を受信すること、
前記ブロックの第２の部分を前記第２の送信電力で提供することを含む方法。
【請求項７】
前記第２の送信電力の前記表示を受信することが、前記第１の送信電力に対する前記第２の送信電力の所望の増加または減少を示す少なくとも１つのビットを受信することを含む、請求項６に記載の方法。
【請求項８】
前記第２の送信電力の前記表示を受信することが、電源オフ・メッセージを受信し、前記電源オフ・メッセージの受信に応答して前記ブロックの後続部分の送信を中断することを含む、請求項６に記載の方法。
【請求項９】
前記第２の送信電力の前記表示の受信の実質的に後に第３の送信電力の表示を受信することをさらに含み、前記第３の送信電力の前記表示の受信が前記第２の送信電力に対する前記第３の送信電力の所望の増加を示す少なくとも１つのビットの受信を含む、請求項６に記載の方法。
【請求項１０】
電源オン・メッセージの受信を含む前記第３の送信電力の前記表示の受信に応答して前記第３の送信電力で前記ブロックの少なくとも一部を提供すること、および
前記電源オン・メッセージの受信に応答して前記ブロックの追加の部分を提供することをさらに含む、請求項９に記載の方法。
【発明の詳細な説明】
【技術分野】
【０００１】
本発明は、一般に通信システムに関し、より詳細には無線通信システムに関する。
【背景技術】
【０００２】
たとえば無線通信システムの移動ユニットと基地局の間のエア・インターフェースなど、エア・インターフェースを介したシンボルの送信に使用される送信電力は、通常、競合する制約のバランスをとることによって決定される。たとえば、送信電力の増加によって、エア・インターフェースを介した送信に関連するビット・エラー率を低減することができる。しかし、送信電力を増加すると、移動ユニットおよび／または基地局間のシステム干渉も増加されることがある。移動ユニットの送信機の送信電力を増加すると、移動ユニットの電池の使用可能な寿命が低減される可能性もある。したがって、送信電力を選択して、低ビット・エラー率、低システム干渉、および長い電池寿命を求める競合する要望のバランスをとることができる。
【０００３】
最適送信電力は、通常、時間とともに変化する。たとえば、移動ユニットおよび／または基地局の送信機の送信電力を継続的に増加することによって、移動ユニットが基地局から離れて移動するときに、許容できるビット・エラー率を維持することができるが、それによって電池寿命が低減され、システム干渉が増加する可能性がある。したがって、閉ループ電源制御システムを使用して、無線通信システムの送信機の送信電力を制御することができる。ＣＤＭＡ２０００および／またはＵＭＴＳプロトコルに従って動作する無線通信システムで実施することができるものなど、通常の閉ループ電源制御システムでは、フィードバック情報が受信機から送信機に定期的に送信される。たとえば、フレーム内のスロットに関連する送信電力は、スロットにつき一度送信することができる単一電源制御ビットを使用して制御される。電源制御ビットは、送信機が、たとえばパイロットまたはトラフィック信号など受信信号に関連した信号対雑音比に応じて、次のスロットに対する送信電力を低減または増加するように命令することができる。
【０００４】
閉ループ電源制御を使用する符号化送信では、所望の性能の達成に必要とされる電力よりも多くの電力が使用されることがある。無線通信システムの一時性のチャネル変動、送信電力の許容できるレベルでの不十分な細分性および／またはステップサイズ、電源制御ループの待ち時間などによって、閉ループ電源制御が非効率になる可能性がある。したがって、閉ループ電源制御によって、不必要に大きいシステム干渉が生じ、電池寿命が低減されることになる。
【発明の開示】
【発明が解決しようとする課題】
【０００５】
本発明は、上記で述べた１つまたは複数の問題の影響への対処法を対象とする。
【課題を解決するための手段】
【０００６】
以下は、本発明の幾つかの側面の基本的な理解をもたらすための本発明の簡単な要約である。この要約は、本発明の網羅的な概要ではない。本発明の鍵または重要な要素を確認し、または本発明の範囲を表すものではない。この唯一の目的は、後で論じるより詳細な説明の前置きとして、簡単な形で幾つかの概念を示すことである。
【０００７】
本発明の一実施形態では、初期復号化に基づいて送信エネルギーを低減する方法を提供する。この方法は、符号化メッセージを示す複数のシンボルを含むブロックの第１の部分にアクセスすることを含む。この第１の部分は、第１の送信電力で送信され、複数のシンボル全てよりも少ないシンボルを有する。この方法は、また、ブロックの第１の部分を使用して符号化メッセージの復号化を試みること、符号化メッセージが復号化されたかどうかを判断すること、および符号化メッセージが復号化されたことの決定に応答して第２の送信電力の表示を提供することを含む。
【０００８】
本発明は、添付の図面と併せて、以下の説明を参照することによって理解されるであろう。図面では、同様の参照番号は、同様の要素を示す。
【０００９】
本発明には、様々な修正形態および変更形態が可能であるが、本発明の特定の実施形態を一例として図で示し、本明細書で詳細に説明する。しかし、理解されるように、特定の実施形態の本明細書での説明は、本発明を開示の特定の形態に限定するものではなく、その反対に、本発明は、修正形態、等価のもの、および変更形態全てを、添付の特許請求の範囲によって定義した本発明の精神および範囲内に包含するものである。
【発明を実施するための最良の形態】
【００１０】
本発明の例示の実施形態を以下で説明する。明瞭にするために、実際の実施の特徴全ては本明細書に記載しない。当然理解されるように、こうした実際のどの実施形態の開発でも、システム関連またはビジネス関連の制約に従って多数の実施に特有の決定を行い、開発者の特定の目的を達成しなければならないが、それは実施形態によって変わるものである。さらに、理解されるように、こうした開発努力は、複雑で時間を要するものであるが、それにもかかわらず本発明の開示の恩恵を有する当業者には日常の仕事であろう。
【００１１】
本発明の一部およびそれに対応する詳細な説明は、ソフトウェア、またはコンピュータ・メモリ内のデータ・ビットに関する演算のアルゴリズムおよびシンボリック表現に関して提供される。こうした説明および表現は、当業者が自分の仕事の内容を他の当業者に実際に伝達するための方法である。アルゴリズムは、本明細書で使用され一般に使用される用語であるが、所望の結果を導く工程の自己無矛盾のシーケンスであると考えられる。工程は、物理量の物理的処理を必要とするものである。通常は必ずしも必要でないが、こうした量は、格納、転送、組合せ、比較、および他の方法で処理することができる光、電気、または磁気信号の形をとる。主に一般に使用されている理由で、こうした信号を、ビット、値、要素、シンボル、キャラクタ、用語、番号などと呼ぶことがときに好都合であることが判明している。
【００１２】
しかし、これらの同様の用語は全て、適切な物理量と関連付けられており、こうした量に適用される単なる便利なラベルであることを留意されたい。他の方法で具体的に指定されていない場合、またはこの論述から明らかであるように、「処理」または「計算」あるいは「決定」もしくは「表示」などの用語は、コンピュータ・システムのレジスタおよびメモリ内の物理、電子量として表されたデータを処理し、コンピュータ・システムのメモリあるいはレジスタまたは他のこうした情報記憶域、送信もしくは表示デバイス内の物理量として同様に表される他のデータに変換するコンピュータ・システムあるいは同様の電子計算デバイスの動作あるいはプロセスを指す。
【００１３】
また、本発明のソフトウェア実施の態様は、通常、ある形態のプログラム記憶媒体上に符号化され、またはあるタイプの送信媒体を介して実施されることも留意されたい。プログラム記憶媒体は、磁気（たとえばフロッピー（登録商標）・ディスクまたはハード・ドライブなど）または光（たとえばコンパクト・ディスク読取り専用メモリまたは「ＣＤ  ＲＯＭ」）でもよく、読取り専用またはランダム・アクセスでもよい。同様に、送信媒体は、より線対、同軸ケーブル、光ファイバ、または当技術分野で周知の幾つかの他の適した送信媒体でもよい。本発明は、任意の所与の実施のこうした態様に限定されない。
【００１４】
次に本発明を、添付の図を参照して説明する。様々な構成、システム、およびデバイスは、単に説明の目的で、当業者には周知の詳細によって本発明を不明瞭にしないために、図面に概略的に示してある。やはり、添付の図面は、本発明の説明に役立つ例を示し説明するために含まれている。本明細書で使用する語句は、関連技術の当業者に理解される語句と一致する意味を持つものであると理解かつ解釈されたい。どの用語または句の特別の定義、すなわち当業者に理解される通常の慣用的な意味と異なる定義も、本明細書での用語または句の一貫した使用によって暗示されないものとする。用語または句が、特別な意味、すなわち当業者に理解されるもの以外の意味を持つ範囲で、こうした特別の定義は、その用語または句についての特別の定義を直接かつ明確に提供する定義方法で本明細書にはっきりと述べられる。
【００１５】
次に図１を参照すると、無線通信システム１００が示されている。無線通信システム１００は、移動ユニット１０５および基地局１１０を含む。様々な代替実施形態では、移動ユニット１０５は、携帯電話、またはパーソナル・コンピュータ、ラップトップ・コンピュータ、携帯情報端末などを含む任意の他の望ましいデバイスでもよい。さらに、代替実施形態では、基地局１１０はアクセス・ポイント、継電器などでもよい。移動ユニット１０５および基地局１１０は、無線通信リンク１１５を使用して通信する。当技術分野の通常の使用により、無線通信リンク１１５を以下でエア・インターフェース１１５と呼ぶ。
【００１６】
移動ユニット１０５および基地局１１０は、様々なプロトコルに従いエア・インターフェース１１５を介してメッセージを交換する。たとえば、移動ユニット１０５および基地局１１０は、Ｕｎｉｖｅｒｓａｌ  Ｍｏｂｉｌｅ  Ｔｅｌｅｐｈｏｎｅ  Ｓｙｓｔｅｍ（ＵＭＴＳ）プロトコル、Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎｓ（ＧＳＭ）プロトコルなどに従ってメッセージを交換することができる。しかし、移動ユニット１０５および基地局１１０は上記のプロトコルに限定されない。代替実施形態では、任意の望ましい無線通信プロトコルを使用して、メッセージをエア・インターフェース１１５を介して交換することができる。たとえば、エア・インターフェース１１５は、Ｂｌｕｅｔｏｏｔｈプロトコル、８０２．１１プロトコルなどに従って動作することができる。当業者には理解されるように、メッセージには、多様なタイプのフレームまたはブロックで送信することができる多様な信号方式および／またはデータ・メッセージが含まれる。たとえば、Ｒａｄｉｏ  Ｌａｙｅｒ  Ｐｒｏｔｏｃｏｌ（ＲＬＰ）には、制御フレーム、データ・フレーム、充てんフレーム、およびアイドル・フレームが含まれる。
【００１７】
移動ユニット１０５は、送信機１２５および受信機１３０に結合された少なくとも１つのアンテナ１２０を含む。送信機１２５はエンコーダ１３５に結合され、受信機１３０はデコーダ１４０に結合され、エンコーダ１３５およびデコーダ１４０は移動ユニット制御装置１４５に結合される。図で示した実施形態では、送信機１２５、受信機１３０、エンコーダ１３５、デコーダ１４０、および移動ユニット制御装置１４５は別々の要素として示されている。しかし当業者には理解されるように、本発明はそのように限定されない。代替実施形態では、送信機１２５、受信機１３０、エンコーダ１３５、デコーダ１４０、および／または移動ユニット制御装置１４５の一部を単一要素に組み込み、または移動ユニット１０５の他の部分に合体することができる。さらに、移動ユニット１０５は、図１で示されていない他の要素を含むことができる。
【００１８】
基地局１１０は、無線局塔１６０など少なくとも１つのアンテナに共に結合された送信機１５０および受信機１５５を含む。送信機１５０および受信機１５５は、それぞれエンコーダ１６５およびデコーダ１７０に結合される。エンコーダ１６５およびデコーダ１７０は基地局制御装置１７５に結合される。図で示した実施形態では、送信機１５０、受信機１５５、エンコーダ１６５、デコーダ１７０、および基地局制御装置１７５は別々の要素として示されている。しかし、当業者には理解されるように、本発明はそのように限定されない。代替実施形態では、送信機１５０、受信機１５５、エンコーダ１６５、デコーダ１７０、および／または基地局制御装置１７５の一部を単一要素に組み込み、または基地局１１０の他の部分に合体することができる。さらに、基地局１１０は、図１で示されていない他の要素を含むことができる。
【００１９】
操作では、移動ユニット制御装置１４５はメッセージをエンコーダ１３５に提供することができ、エンコーダ１３５はＶｉｔｅｒｂｉ符号化アルゴリズムなど任意の望ましい符号化アルゴリズムに従ってメッセージを符号化することができる。符号化されたメッセージには、複数のシンボルを有する１つまたは複数のブロックまたはフレームが含まれる。シンボルは次いで送信機１２５に提供され、送信機１２５はアンテナ１２０を使用しエア・インターフェース１１５を介してシンボルを送信することができる。メッセージを、アンテナ１２０および受信機１３０を使用して受信することもできる。次いで、受信メッセージがデコーダ１４０に提供され、デコーダ１４０は受信したシンボルを復号化することができる。たとえば、受信シンボルを、Ｖｉｔｅｒｂｉ復号化アルゴリズムを使用して復号化することができる。当業者には理解されるように、本発明はＶｉｔｅｒｂｉ符号化かつ／または復号化に限定されず、代替実施形態では、任意の望ましい符号化／復号化技法および／またはアルゴリズムを使用することができる。
【００２０】
基地局１１０はメッセージを送信かつ／または受信することもできる。図で示した実施形態では、送信すべきメッセージを基地局制御装置１７５によって提供し、エンコーダ１６５で符号化し、次いで送信機１５０によって電波塔１６０を使用してエア・インターフェース１１５を介して送信することができる。メッセージを電波塔１６０および受信機１５５によって受信することもできる。次いで、受信メッセージ内のシンボルをデコーダ１７０で復号化し、基地局制御装置１７５に提供することができる。上記で論じたように、任意の望ましい符号化および／または復号化技法またはアルゴリズムを、基地局１１０で使用することができる。
【００２１】
図２Ａは、移動ユニット１０５または基地局１１０によってエア・インターフェース１１５を介して送信するために符号化することができるメッセージ２００を概念的に示す。図で示した実施形態では、メッセージ２００は複数のビット２０５（１−ｎ）を含む。たとえば、ビット２０５（１）は値１に設定され、ビット２０５（２）は値０に設定され、ビット２０５（３）は値０に設定され、ビット２０５（ｎ）は値１に設定される。メッセージ２００は、任意の望ましい数のビット２０５（ｎ）を含むことができる。たとえば、メッセージ２００は、１９２のビット２０５（１−ｎ）を含むブロックでもよい。次いで、メッセージ２００は、図１で示したエンコーダ１３５、１６５などエンコーダに提供されて、符号化されてからエア・インターフェースを介して送信される。
【００２２】
図２Ｂは、図１で示したエア・インターフェース１１５など、エア・インターフェースを介して送信することができるブロック２１０を概念的に示す。図で示した実施形態では、ブロック２１０は、レート−１／ｍエンコーダ・アルゴリズムを使用して、図２Ａで示したメッセージ２００のビット２０５（１−ｎ）を符号化することによって形成される複数のシンボル２１５を含む。したがって、ブロック２１０は、ｍ・ｎシンボル２１５（１−ｍ・ｎ）を含む。ただしダッシュは対応するインデックスの値の範囲を示す。たとえば、メッセージ２００は、ブロック２１０が８ｎシンボル２１５を含むように、レート−１／８エンコーダ・アルゴリズムを使用して符号化することができる。当業者には理解されるように、本発明はどの特定レートのエンコーダ・アルゴリズムにも限定されない。たとえば、メッセージ２００を、レート−２／３エンコーダ・アルゴリズムを使用して符号化することができる。次いで、ブロック２１０のシンボル２１５をエア・インターフェースを介して他のデバイスに送信することができ、そこで復号化することができる。
【００２３】
図２Ｃは、図１で示したデコーダ１４０、１７０によって生成することができるものなど、復号化メッセージ２００を概念的に示す。図で示した実施形態では、メッセージ２２０は、メッセージ２００のビット２０５（１−ｎ）に対応するビット２２５（１−ｎ）値を含む。この復号化操作は、復号化メッセージ２２０のビット２２５（１−ｎ）がメッセージ２００のビット２０５（１−ｎ）に対応するため正常な復号化であると考えられる。しかし、当業者には理解されるように、ビット２２５（１−ｎ）とビット２０５（１−ｎ）の間の１対１の対応はブロック２１０の正常な復号化を示す唯一の基準ではない。たとえば、一部の実施形態では、幾つかの数のビット２２５（１−ｎ）がビット２０５（１−ｎ）に対応しないことがあり、それは、符号化、送信、および／または復号化のエラーによる可能性がある。しかし、少数のエラーはあまり重要ではないと考えられ、少数のエラーが復号化メッセージ２２０に存在しても、復号化はなお成功したと考えられる。重大であると考えられる正確なエラー数は、設計選択の問題であり、本発明の題材ではない。
【００２４】
次に図１および２Ａ〜Ｃを参照すると、移動ユニット制御装置１４５および／または基地局制御装置１７５は、送信機１２５、１５０によって送信されるメッセージの送信電力を決定することができる。移動ユニット制御装置１４５は、送信電力レベルの表示を送信機１２５に提供することができ、送信機１２５はメッセージを概ね選択された送信電力レベルで送信することができる。様々な代替実施形態では、エア・インターフェース１１５を介して送信されるブロックに関する低ビット・エラー率、無線通信システム１００でのエア・インターフェース１１５を介した送信と他の送信の間のシステム干渉の低減、および移動ユニット１０５など無線通信システム１００の電池式デバイスの長い電池寿命を求める要求が含まれるがそれだけに限定されない、競合する制約のバランスがとられるように送信電力を選択することができる。
【００２５】
移動ユニット制御装置１４５および／または基地局制御装置１７５は、ブロック２１０の一部の正常な復号化に応答してエア・インターフェース１１５を介してブロック２１０を送信中に、選択された送信電力レベルを変更することができる。一実施形態では、デコーダ１７０がブロック２１０の一部に基づいてブロック２１０を正常に復号化した場合、基地局１１０は１つまたは複数のビットを移動ユニット１０５に送信し、送信機１２５がブロック２１０の残りの部分区間の半分にわたって電力を低減し、次いで、ブロック２１０の残りの部分区間の最後の半分中に電力を増加し、それによって次のブロックの送信の準備中に送信電力レベルを所望の値に戻すように命令する。介入電力レベルをできるだけ早く低い値に下げることは、現在使用されている電力制御信号方式を変えずに行うことができるため、必ずしも既存の電力制御プロトコル標準を変更する必要がない。たとえば、基地局１１０がブロック２１０の第１の部分２１５（１−８）を受信した場合、デコーダ１７０は第１の部分２１５（１−８）の復号化を試みる。デコーダ１７０が第１の部分２１５（１−８）を正常に復号化した場合、基地局制御装置１７５は低減された送信電力レベルの表示を移動ユニット１０５に提供することができ、以下に詳細に論じるように、次いで移動ユニット１０５はブロック２１０の後続部分２１５（９−ｍｎ）を低減された送信電力レベルで送信することができる。
【００２６】
図３は、図２Ｂで示したブロック２１０など、ブロックの１つまたは複数の受信された部分の初期復号化に基づいて送信電力レベルを制御する方法３００を概念的に示す。以下の論述では、送信機、受信機、エンコーダ、デコーダ、送信制御装置、および受信制御装置を参照して、方法３００を記載する。当業者には理解されるように、方法３００は、エア・インターフェースを介してメッセージを送信かつ／または受信することができる任意の望ましいデバイスで実施することができる。したがって、様々な代替実施形態では、送信機、受信機、エンコーダ、デコーダ、送信制御装置、および受信制御装置は、多様な可能なデバイスで実施することができる。たとえば、方法３００および上述の要素を、上記で論じたように、１つまたは複数の移動ユニット１０５および／または基地局１１０、並びにパーソナル・コンピュータ、ラップトップ・コンピュータ、携帯情報端末、アクセス・ポイント、継電器などで実施することができる。
【００２７】
（３０５で）送信機は、ブロックの一部を、送信制御装置によって選択できる第１の送信電力レベルで送信する。ブロックは、エンコーダによって符号化されたメッセージのビットを示すシンボルを含む。（３１０で）受信機は、ブロックの送信された部分を受信する。たとえば上記のように、ブロックの一部を移動ユニットによって送信し、基地局によって受信することができる。（３１５で）デコーダは、ブロックの受信部分の復号化を試み、（３２０で）ブロックの受信部分が正常に復号化されたかどうか判断する。一実施形態では、まだ受信されていないブロックの部分は消去部分として処理される。当業者には理解されるように、（３１５で）ブロックの受信部分が正常に復号化されたかどうかを（３２０で）判断する、任意の望ましい方法を使用することができる。
【００２８】
ブロックの受信された部分が（３１５で）正常に復号化されなかった場合、受信制御装置は（３２５で）ブロックのさらなる部分が受信された、または受信することができるかどうかを判断することができる。受信制御装置が（３２５で）さらなる部分が受信された、または受信することができるかどうか判断した場合に、（３１５で）受信部分を復号化する１つまたは複数の追加の試みを行うことができる。たとえば、ブロックの新しく受信した部分をブロックの前に受信した部分と組み合わせることができ、デコーダが（３１５で）組み合わせたブロックの部分の復号化を試みることができる。（３２５で）ブロックの追加の部分が受信されなかった場合、または（３２５）で受信が見込まれる場合、方法３００は（３３０で）終了する。
【００２９】
（３２０で）デコーダが、１つまたは複数の受信されたブロックの部分に基づいてブロックが正常に復号化されたことを決定した場合、（３３５で）送信機が電力を低減することができる。たとえば、シンボルの約４分の１だけを使用してブロックを正常に復号化することができた場合、送信機は（３３５で）残りのシンボルを送信しながら電力を低減することができる。一実施形態では、（３３５での）電力の低減には、受信制御装置が（３３５で）電力の低減が望ましいことを示すメッセージを提供することが含まれる。送信制御装置は、メッセージを受信し、次いで選択されたアカウントだけ送信電力レベルを下げる。一例では、メッセージは、各ビットが送信電力レベルを所定の分だけ低下すべきであることを示す１つまたは複数のビットでもよい。電力低減ビットを単一ブロックまたは複数のブロックの１つまたは複数のスロットに提供することができる。他の例では、メッセージは、送信機が送信電力を非常に小さいレベルに低下し、または送信を全て停止すべきであることを示す電源オフ・メッセージでもよい。
【００３０】
一実施形態では、送信電力レベルを上げてから、後続ブロックに関連するシンボルを送信することが望ましい。したがって、送信機は、（３３５で）電力を低減した後に（３４０で）電力を実質的に増加することができる。一実施形態では、受信制御装置は、送信電力レベルを上げることが望ましいことを示すメッセージを提供することができ、送信機はメッセージの受信に応答してシンボルの送信に使用される送信電力レベルを上げることができる。たとえば、受信制御装置は、各ビットが送信電力レベルを所定の増分だけ上げるべきであることを示す１つまたは複数のビットを提供することができる。他の例では、受信制御装置は、送信機が送信電力を初期送信電力レベルにまで上げ、または送信機が送信を再開すべきであることを示す電源オン・メッセージを提供することができる。一実施形態では、（３４０での）電力増加後の送信電力レベルは、（３３５での）電力低減前の送信電力レベルと実質的に等しくてもよい。しかし当業者には理解されるように、本発明はそのように限定されない。たとえば、（３４０での）電力増加後の送信電力レベルは、（３３５での）電力低減前の送信電力レベルよりも小さくてもよい。方法３００は、（３４０での）電力増加後に（３３０で）終了することができる。
【００３１】
図４Ａは、ブロックの送信に関連した電力低減シーケンスおよび電力増加シーケンスの第１の実施形態中の送信電力レベル４００を概念的に示す。垂直軸４０５は送信電力レベルを示し、水平軸４１０はブロックの送信中の経過時間を示す。しかし当業者には理解されるように、水平軸４１０は送信フレームのスロットを示すこともできる。図４Ａで示した第１の実施形態では、受信制御装置は、各ビットが送信電力レベル４００を所定の分だけ低下すべきであることを示す一連のビットを提供する。送信機は、各ビットの受信に応答して、所定の増分だけ送信電力レベル４００を低下する。したがって、送信電力レベル４００は段階的に低下される。ブロック手法の最後に、垂直の破線４１５で示したように、受信制御装置は、各ビットが送信電力レベル４００を所定の増分だけ上げるべきであることを示す一連のビットを提供する。送信機は、各ビットの受信に応答して、所定の増分だけ送信電力レベル４００を上げる。したがって、送信電力レベル４００は、送信電力レベル４００の初期値と概ね等しいレベルに達するまで、段階式に増加される。
【００３２】
図４Ｂは、ブロックの送信に関連した電力低減シーケンスおよび電力上昇シーケンスの第２の実施形態中の送信電力レベル４２０を概念的に示す。垂直軸４２５は送信電力レベルを示し、水平軸４３０はブロックの送信中の経過時間を示す。しかし、当業者には理解されるように、水平軸４３０は送信フレームのスロットを示すこともできる。図４Ｂで示した第２の実施形態では、受信制御装置は、電源オフ・メッセージを提供し、送信機は電源オフ・メッセージの受信に応答して送信電力レベル４２０を低減する。したがって、送信電力レベル４２０は非常に低い値まで低減される。一実施形態では、送信が停止される。すなわち送信電力レベル４２０がほぼゼロまで低減される。このブロック手法の最後に、垂直の破線４３５で示したように、受信制御装置は、電源オン・メッセージを提供し、送信機は電源オン・メッセージの受信に応答して送信電力レベル４２０を上げる。したがって、送信電力レベル４２０は、送信電力レベル４２０の概ね初期レベルまで上昇される。
【００３３】
１つまたは複数の上述の実施形態の実施によって、図１で示した無線通信システム１００の所望の性能を維持しながら、符号化された送信の効率を向上することができる。たとえば、所望のビット・エラー率を維持しながら、システム干渉を低減し電池寿命を延ばすことができる。
【００３４】
上記で開示した特定の実施形態は単に例であって、本発明は、本明細書の教示の恩典を有する当業者には明らかな、異なるが等価の方法で修正し実施することができる。さらに、添付の特許請求の範囲に記載された以外は、本明細書で示した構成または設計の詳細にはいかなる制限も加えられないものとする。したがって、上文で開示した特定の実施形態を変更または修正することができることは明らかであり、こうした変形形態は全て本発明の範囲および精神内にあると考えられる。したがって、本明細書に求められる保護は添付の特許請求の範囲に述べられている。
【図面の簡単な説明】
【００３５】
【図１】本発明による無線通信システムを示す図である。
【図２Ａ】エア・インターフェースを介した送信用に符号化することができるメッセージを概念的に示す図である。
【図２Ｂ】エア・インターフェースを介して送信することができるブロックを概念的に示す図である。
【図２Ｃ】復号化メッセージを概念的に示す図である。
【図３】１つまたは複数の受信されたブロックの部分の初期復号化に基づいて送信電力レベルを制御する方法を概念的に示す図である。
【図４Ａ】ブロックの送信に関連した電力低減シーケンスおよび電力増加シーケンスの第１の実施形態中の送信電力レベルを概念的に示す図である。
【図４Ｂ】ブロックの送信に関連した電力低減シーケンスおよび電力増加シーケンスの第２の実施形態中の送信電力レベルを概念的に示す図である。
【図１】
2006191582.tif 000003
【図２Ａ】
2006191582.tif 000004
【図２Ｂ】
2006191582.tif 000005
【図２Ｃ】
2006191582.tif 000006
【図３】
2006191582.tif 000007
【図４Ａ】
2006191582.tif 000008
【図４Ｂ】
2006191582.tif 000009